(57)【要約】【課題】リアルな眼球を用い、瞳の色を１眼球あたり２色持ち、この眼球を回転させることで、瞳色の切り替えが容易に行うことができ、顔面外側から磁石によって視線を動かすことが可能な人形用頭部を得るとともに、多色の眼球の組み合わせをたくさんの中からユーザーが選択できる人形用頭部を得る。【解決手段】眼球は１個の眼球を、同じ形状の２つの眼球パーツに分割して、それぞれに眼球瞳を描き、これを組み合わせて１眼球あたり２つの瞳を持つことができる。また、受け皿とスプリングによって眼球を眼窩奥に対して押し込むことがでるので、眼球を回転させても瞳部分の突起と瞼の間の干渉がおきず、眼球を裏返すことができる人形用頭部を実現する。また、眼球内部に磁石を2つの内蔵し、それぞれの極が向かい合う状態にしておき、外側と異なる極の磁石を取り付けた制御棒により、眼球に手を触れずに視線を動かすことができる人形用頭部を得る。【選択図】図２
2007202935.tif 000002
【特許請求の範囲】
【請求項１】
磁石を眼球内部に２つ内蔵し、同じ極が向かい合うように眼球内部に接着し、片側の外側がN極であれば、もう片側の外側もN極となるよう配置された眼球を使用することを特徴とした人形用頭部。
【請求項２】
磁石を、眼球外側の極と引き合う極が眼球側にくるように位置と幅を調節した器具(以下制御棒)を用い、前記請求項１と併せて、磁力によって視線を、同時に同じ目幅を維持したまま操作できることを特徴とした人形用頭部。
【請求項３】
人間と同様に瞳部分表面が隆起したリアルな瞳を、眼球の中心点に対して点対称の位置に配置した眼球を使用した人形用頭部。
【請求項４】
眼球の前部と後部を、全く同じ形状のパーツに分割し、この２つを組み合わせ、1眼球あたり、2瞳色の組み合わせを持つ眼球を使用し、これを回転させることで瞳の色を容易に変更することができることを特徴とする人形用頭部。
【請求項５】
眼球を、顔面素材と、眼球に対して凹状で眼窩奥側にスプリングを装着した受け皿によって、眼球をスプリングのテンションによって無接着のまま保持し、前記請求項３と併せて、眼球を取り付けたまま裏返して回転させることを特徴とする人形用頭部。
【請求項６】
隆起した瞳部分を含めた眼球の全幅より大きな筒を顔面裏に取り付けし、筒の内側に眼球および、前記請求項５の受け皿およびスプリングを内蔵することで、周囲の部材と眼球の接触部を減らすことで眼球と周囲の摩擦を減らし、前記請求項１と併せて、眼球を磁石によって容易に動かすことができる人形用頭部。
【請求項７】
スプリングの眼窩奥側末端と、筒末端の蓋はこれを接着し、筒末端の蓋および筒末端にはネジ切りを施し、ネジの回転によって受け皿の位置を前後に微調整し、眼球を保持するテンションの調節を容易にして、さらに、ネジ切りのみによって取り付けるので、眼球とスペア眼球の取り替えを容易に行え、かつ、テンションの調節も容易にできることを特徴とする人形用頭部。
【発明の詳細な説明】
【技術分野】
【０００１】
本発明は、視線をどの方向にも動かすことができ、かつ、瞳の色を切り替えることができる、人形玩具用の頭部に関する。
【背景技術】
【０００２】
近年、人形玩具は従来のように完成品をそのまま使用するものと異なり、自己の好みに合うように瞳や手足の部品を選択購入(カスタム)して、オリジナルの人形を作成して楽しむ趣味として、需要が増してきている。また、人形の造形もリアルさを増し、写真の被写体などの用途にも用いられるようになった。さらに、人形の眼球それ自体もリアルさを増しており、現在、部品として流通している眼球パーツは、全体の表面に透明なコーティングが施され、さらに、瞳の光彩部分が隆起した、本物の眼球に酷似したものとなっている。
【０００３】
しかし、これらの眼球を操作して人形の視線を動かすには、特許公開2000-296276や特許公表2003-50123に挙げられるような、複雑な仕組みを組み込む必要があった。また、これらは完全に眼球を回転させることはできず、従って瞳の色を、眼球の回転によって簡単に変更することはできなかった。
【０００４】
前記人形玩具の目線は、人形の目線は、まっすぐ前を向いているだけでは、被写体としても不十分である。そこで本出願人は、人形の表現力を瞳と視線について着目し、視線を自在に動かすことができ、なおかつ瞳の色を簡単に切り替えることができ、さらに、別の瞳の色を持つスペア眼球との交換も簡単に行えるよう試み、今回の発明において成功している。
【０００５】
眼球を固定、または可動保持するための従来の技術では、図６に示すように眼球の後ろに突起を設けて保持するか、図７のようにバックアップ球を用いることによって保持するものであった。または、特許公開平５−２８５２７４や特許公開２０００−２９６２７６の例にあるように、複雑な機械を内蔵するものであった。また、磁力による可動を行う場合には、特許公表２００３−５０１２３０の例にあるように、複雑な機械を内蔵するものであった。また、特許公開平５−２８５２７４、および特許公開２０００−２９６２７６、特許公表２００３−５０１２３０の技術によれば、眼球を稼働させるための機構が複雑でコストが高くなった。
【０００６】
また、前記従来技術および、特許公開２００４−２４２９１４の技術によれば、リアルな眼球を使用した際には、眼球の可動範囲が眼球後部の突起によって制限され、また、瞳の隆起部分と顔面素材が干渉するため、眼球を回転させることはできなかった。
【０００７】
特許公開２００１−０１７７４９の技術によれば、眼球を完全に回転させることができるが、瞳の真裏にもう一つの瞳がある場合、バックアップ球と、隆起部分が干渉して、眼球中心から点対称の位置に瞳を配置した場合、視線が正面を向く場合には、安定しなかった。また、これを回避するために瞳の数を増やし、真裏に瞳が来ないようにすると、同じ形状のパーツ２つを組み合わせることはできず、部品の組み合わせが複雑化し、ユーザーの選択肢も制限されることになった。
【特許文献１】特許公開平５−２８５２７４
【特許文献２】特許公開２０００−２９６２７６
【特許文献３】特許公表２００３−５０１２３０
【特許文献４】特許公開２００１−０１７７４９
【特許文献５】特許公開２００４−２４２９１４
【発明の開示】
【発明が解決しようとする課題】
【０００８】
本発明が解決しようとする課題は、眼球に、瞳部分が隆起したリアルなパーツを使いつつ、１つの眼球を全く同じ形状の半球状パーツ２つで作り、１つの眼球あたり瞳の色を２つとし、この眼球を裏返すことで瞳の色を切り替えることができるようにして、裏返すとき、瞳部分の隆起と顔面素材が干渉しないため、眼球そのものを、顔面素材と、眼球裏にある凹状の受け皿との間でこれを挟んで保持し、凹状の受け皿の後ろにはスプリングを接着して、眼球を眼窩奥側に押し込めるようにしてこれらの構造を目穴から眼窩側に設けた筒内に納めて、スプリング末端は筒末端の蓋に接着して、蓋と筒末端はネジ止めをし、このネジの締め具合で受け皿を前後させ、スプリングの保持テンションを調節できるようにして、眼球内部には磁石を内蔵し、同じく磁石を取り付けた制御棒を使って両目の視線を同時に動かすことが出来、自分自身の好みに応じた瞳を作って、その組み合わせで楽しむことができる人形用頭部を提供することにある。
【課題を解決するための手段】
【０００９】
以上の課題を解決するために、第一発明は磁石を眼球内部に２つ内蔵し、同じ極が向かい合うように眼球内部に接着し、片側の外側がN極であれば、もう片側の外側もN極となるよう配置された眼球を使用することを特徴とした人形用頭部である。
第二発明は、磁石を、眼球外側の極と引き合う極が眼球側にくるように位置と幅を調節した以下制御棒を用い、前記請求項１と併せて、磁力によって視線を、同時に同じ目幅を維持したまま操作できることを特徴とした人形用頭部
第三発明は、人間と同様に瞳部分表面が隆起したリアルな瞳を、眼球の中心点に対して点対称の位置に配置した眼球を使用した人形用頭部である。
第四発明は、眼球の前部と後部を、全く同じ形状のパーツに分割し、この２つを組み合わせ、1眼球あたり、2瞳色の組み合わせを持つ眼球を使用し、これを回転させることで瞳の色を容易に変更することができることを特徴とする人形用頭部である。
第五発明は、眼球を、顔面素材と、眼球に対して凹状で眼窩奥側にスプリングを装着した受け皿によって、眼球をスプリングのテンションによって無接着のまま保持し、前記請求項３と併せて、眼球を取り付けたまま裏返して回転させることを特徴とする人形用頭部である。
第六発明は、隆起した瞳部分を含めた眼球の全幅より大きな筒を顔面裏に取り付けし、筒の内側に眼球および、前記請求項５の受け皿およびスプリングを内蔵することで、周囲の部材と眼球の接触部を減らすことで眼球と周囲の摩擦を減らし、前記請求項１と併せて、眼球を磁石によって容易に動かすことができる人形用頭部である。
第七発明は、スプリングの眼窩奥側末端と、筒末端の蓋はこれを接着し、筒末端の蓋および筒末端にはネジ切りを施し、ネジの回転によって受け皿の位置を前後に微調整し、眼球を保持するテンションの調節を容易にして、さらに、ネジ切りのみによって取り付けるので、眼球とスペア眼球の取り替えを容易に行え、かつ、テンションの調節も容易にできることを特徴とする人形用頭部である。
【発明の効果】
【００１０】
第一発明、第二発明、第六発明によれば、眼球内部と制御棒の磁力が引き合うことにより、制御棒を動かすことによって両目を同時に、同じ目幅のまま視線を動かすことが出来る。また、制御棒を使用するので、眼球に直接手を触れる必要がないため、眼球を清潔にしておくことができる。
【００１１】
第五発明によれば、眼球を眼窩奥側へ押し込むことができるので、瞳部分の突起部と瞼部分の干渉が発生せず、眼球を回転させることができるようになった。また、第三発明、第五発明、第七発明によれば、眼球はスプリングの弾力と、ネジによる調整機構によって最良のテンションで無接着のまま保持され、この眼球を回転させることで、裏側にあった瞳と表側にあった瞳の位置を切り替えることができるようになった。
【００１２】
第四発明によれば、眼球前後のパーツ２つがまったく同じ形状で、瞳の色のみバリエーションを設けるため、流通上、生産性、ユーザーの満足度の面で、大きな効果がある。
【発明を実施するための最良の形態】
【００１３】
この発明の眼球部分についての一実施携帯を図１に示す。
【００１４】
眼球半体４は、１つの眼球あたり２つ使用する。この２つは、形状は全く同じである。はめ込み式になっているので、無接着でつなげることが可能である。眼球半体４の中に、２個の眼球用磁石５を内蔵する。このとき、２つの磁石は同じ極同士向かい合うよう、眼球半体４に接着される。こうしてできた部品を、以下眼球３とする。
【００１５】
この発明の一実施形態について、図２に示す。この実施形態は、頭部素材が硬いものでできている場合に取る実施形態である。眼球３は、頭部外皮１と受け皿６の間に挟み込むように配置する。また、受け皿６の後ろにスプリング７を取り付け、眼球筒８の中に眼球３、受け皿６、スプリング７を納める。眼球筒８の最後部とスプリング受皿９にねじ切りを施してこれを無接着で取り付け、スプリング受皿９を緩めたり締めたりすることによって、受け皿を前後させ、スプリング７のテンションを調節できるようにする。眼球筒８の上部には穴を開けておき、スプリング受皿９を緩めたとき、眼球３を穴から取り出せるようにする。このとき、眼球３に制御棒３６を近づけると、眼球３は磁力によって制御棒３６に吸着するため、容易に取り出すことが出来る。眼球筒８と頭部外皮１は接着する。
【００１６】
この発明の別の実施形態について、図３に示す。この実施形態は、
磁力可動に用いる制御棒の一実施形態について、図４に示す。先端に制御用磁石１１を固定した制御棒３６を作成する。制御用磁石１１の先端側の極は、眼球用磁石の外側の極と引き合うよう配置する。また、制御用磁石１１の周囲には磁石カバー１０を取り付けて、眼球３に傷が付くのを防ぐ。制御棒横支柱１３と制御棒幅調整支柱１４は制御棒調整用蝶ネジ１５で止め、幅の調整を容易に行うことができるようにする。２つの眼球半体４は、全く同じ形状のはめ込み式として、容易に組み合わせを選択できるようにする。頭部蓋２と頭部外皮１は無接着とする。
【００１７】
「実施形態の効果」
第一に、安価であることが述べられる。メーカーとしては、新たに用意する機械類はなく、眼球１のみ従来のものと換装すれば、他の部材は規格品で十分まかなえるものである。また、人形の瞳色の変更は、従来は不可能か、もしくは後頭部を開けて眼球を取り替えていたところであるが、これを回転させるだけでスイッチできるので、ユーザーにとっては、手軽な楽しみとなり、視線の移動と併せて、ユーザーの満足度に貢献できる。また、第三発明による、眼球１の眼窩奥への稼働によって、従来は、埃が溜まるうえに清掃が困難だった瞼と眼球の接点に隙間が開くため、綿棒などで簡単に清掃できるようになった。
【００１８】
磁力眼球作動は、磁力が持つ特性を良く活かし、目を思い通りの角度に決め、眼球を汚すことなく微調整を繰り返すことができる。また、二種類の瞳色を切り替えるというアイデアは、人形の表情や雰囲気を二倍にすることができ、また、瞳を前後でパーツ分け、はめこみ式にすることによって、メーカーとユーザー共に自由度を得ることができ、人形という玩具における遊び心を、販売側、購買側共に得ることができる。
【００１９】
「他の実施形態」
この発明における他の実施形態ついて図３に示す。これは、顔面素材が柔らかい場合に実施する使用形態である。この場合、人形頭部の形状保持のために頭内部骨格部材を使用しているものとする。眼球３は、眼球を受け止める受け皿６と、頭部外皮１との間に挟み込むように配置する。また、受け皿６の後ろにスプリング１８を取り付け、その後ろにスプリング受皿１９、吸盤３８を接着し、吸盤３８を眼球筒３９の奥に吸着させる。次に、先端に制御用磁石１１を固定した制御棒３６を作成する。頭部外皮１７の、後頭部にあたる部分に頭皮固定用外皮側テープ２２を、頭部骨格２０の、後頭部にあたる部分に頭皮固定用骨格側テープ２１を接着し、頭部外皮１７と頭部骨格２０を無接着で固定する。
【図面の簡単な説明】
【００２０】
【図１】この発明の眼球部分の一実施形態を示す斜視図である。
【図２】この発明の一実施形態を示す斜視図である。
【図３】この発明の別の実施形態を示す斜視図である。
【図４】この発明に用いる制御棒の一実施形態を示す斜視図である。
【図５】この発明において、制御棒と視線の関係を模式的に表した図である。
【図６】従来技術を示す断面図である。
【図７】従来技術を示す断面図である。
【符号の説明】
【００２１】
１頭部外皮
２頭部蓋
３眼球
４眼球半体
５眼球用磁石
６眼球受皿
７スプリング
８眼球筒
９スプリング受皿
１０磁石カバー
１１制御用磁石
１２制御棒縦支柱
１３制御棒横支柱
１４制御棒幅調整支柱
１５制御棒調整用蝶ネジ
１６制御棒取手
１７頭部外皮
１８スプリング
１９スプリング受皿
２０頭部骨格
２１頭皮固定用骨格側テープ
２２頭皮固定用外皮側テープ
２３頭部骨格
２４頭部外皮
２５眼球袋
２６眼球
２７顔面
２８眼球用の穴
２９円筒
３０袋
３１眼球用の球
３２瞳
３３瞳
３４瞳
３５バックアップ球
３６制御棒
３７人形頭部
３８吸盤
３９眼球筒
【図１】
2007202935.tif 000003
【図２】
2007202935.tif 000004
【図３】
2007202935.tif 000005
【図４】
2007202935.tif 000006
【図５】
2007202935.tif 000007
【図６】
2007202935.tif 000008
【図７】
2007202935.tif 000009